(57)【要約】【課題】補助部材への事前加工作業を不要とし、床構造部材への組立作業を容易にするとともに、床構造部材の組立作業時の溶接作業による補助部材の損傷又は焼失のおそれのない補助部材の固定具と、この固定具を使用した床構造部材を提供する。【解決手段】床構造部材１のベース部材２又はトラス構造部材３に係止できる係止片１３を有する一対の係止部材１４，１４と、該一対の係止部材１４，１４をつなぐ接続部材１５とからなり、該係止部材１４又は接続部材１５の長さが調整する締め込み手段を有するボイド部材９やトラス部材１９等の補助部材の固定具１５とした。さらに、この補助部材の固定具１５を隣り合うトラス構造部材３の間に配設されるボイド部材９やトラス部材１９等の補助部材の上部に宛い、係止部材１４又は接続部材１５の長さを調整する締め込み手段によってボイド部材９やトラス部材１９等の補助部材をベース部材２又はトラス構造部材３に固定した床構造部材１を完成する。【選択図】      図１
2004162379.tif 000002
【特許請求の範囲】
【請求項１】
ベース部材の上に複数並設するトラス構造部材と、該トラス構造部材の間に該トラス構造部材と平行に配設される補助部材とを備えた床構造部材の組立に使用する補助部材の固定具であって、
前記ベース部材又は前記トラス構造部材に係止できる一対の係止部材と、該一対の係止部材をつなぐ接続部材とを備え、該接続部材はその長さを調整できるものであることを特徴とする補助部材の固定具。
【請求項２】
ベース部材の上に複数並設するトラス構造部材と、該トラス構造部材の間に該トラス構造部材と平行に配設される補助部材とを備えた床構造部材の組立に使用する補助部材の固定具であって、
前記ベース部材又は前記トラス構造部材に係止できる一対の係止部材と、該一対の係止部材をつなぐ接続部材とを備え、少なくとも前記係止部材の一方がその長さを調整できるものであることを特徴とする補助部材の固定具。
【請求項３】
前記接続部材は、前記補助部材の外形形状に対応した形状変化のできる柔軟性を有していることを特徴とする請求項１又は２に記載の補助部材の固定具。
【請求項４】
前記接続部材は、戻り止め手段を有する結束バンドであることを特徴とする請求項１に記載の補助部材の固定具。
【請求項５】
前記係止部材の一部に、ターンバックルを有することを特徴とする請求項２に記載の補助部材の固定具。
【請求項６】
ベース部材の上に複数並設するトラス構造部材と、該トラス構造部材の間に該トラス構造部材と平行に配設される補助部材とを有する床構造部材であって、
前記補助部材の下部は前記ベース部材によって支持され、前記補助部材の上部は請求項１乃至５のいずれかに記載の補助部材の固定具によって支持され、前記補助部材の固定具の前記係止部材又は接続部材の長さを短くすることで前記補助部材を前記ベース部材に対して固定されていることを特徴とする床構造部材。
【請求項７】
ベース部材の上に複数並設するトラス構造部材と、該トラス構造部材の間に該トラス構造部材と平行に配設される補助部材とを有する床構造部材であって、
前記補助部材の下部は前記隣り合うトラス構造部材を連結する連結部材によって支持され、前記補助部材の上部は請求項１乃至５のいずれかに記載の補助部材の固定具によって支持され、前記補助部材の固定具の前記係止部材又は接続部材の長さを短くすることで前記補助部材を前記ベース部材に対して固定されていることを特徴とする床構造部材。
【請求項８】
前記補助部材が荷重軽減材であることを特徴とする請求項６又は７に記載の床構造部材。
【請求項９】
前記補助部材がトラス部材であることを特徴とする請求項６又は７に記載の床構造部材。
【発明の詳細な説明】
【０００１】
【発明の属する技術分野】
この発明は、鉄筋コンクリート製の建物を構築する際に、コンクリートを打設してコンクリートスラブを形成するための型枠として使用する床構造部材と、床構造部材の構成部材である補助部材を床構造部材に組み付けるための固定具に関するものである。
【０００２】
【従来の技術】
従来から、コンクリートスラブの製造コストを低減するため、コンクリートスラブの厚さ方向中間部に、コンクリートを充填させないことを目的とした中空の長尺体である補助部材を配置した、コンクリートスラブの型枠として使用する床構造部材がある。
【０００３】
この種の床構造部材としては、例えば、図１０に示したように、ボール紙や合成樹脂のような非強度素材よりなる薄い肉厚の円筒形で、その長さが床構成部材３０の構成要素である単一トラス３１とほぼ同じ長さの補助部材であるパイプ３２を使用し、このパイプ３２をベースとなるデッキプレート３３の上に等間隔に配置されている複数の単一トラス３１の間に上側から挿入したものがあり、通常１つの床構造部材３０に３本程度の補助部材であるパイプ３２が配置される。
【０００４】
この第１の従来の床構造部材３０にあっては、補助部材であるパイプ３２の存在により、床強度に貢献することが少ないコンクリートスラブの厚さ方向中間部にコンクリートが充填されないようにしたものであって、床強度を落とさずにコンクリートの消費量を減少させて材料費を減少させることができるからコンクリートスラブの製造コストを低減できるため、広く利用されている。さらに、完成されたコンクリートスラブの重量を低下させるといった利点も有している（例えば、特許文献１参照。）。
【０００５】
また、他の床構造部材４０としては、図１１に示したような、鉄板４１上に配置されるトラス４２が１本の上端筋４３と２本の下端筋４４ａ，４４ｂと、上端筋４３と下端筋４４ａとをつなぐ屈曲筋４５ａ及び上端筋４３と下端筋４４ｂとをつなぐ屈曲筋４５ｂで構成され、各トラス４２の間は補助部材としての円筒状のボイド４６の外形に対応した円弧状をなしボイド４６の下側を支承する凹部４７と、トラス４２の上端筋４３に係止する凸部４８とを、複数連続的に形成したスペーサ筋４９で接続されているものがある。
【０００６】
この第２の従来の床構造部材にあっては、スペーサ筋４９の凹部４７に補助部材であるボイド４６が納められ、このボイド４６の上側はその長手方向に適宜の間隔で複数配設した押さえ部材５０で押さえられている。つまり、第２の従来の床構造部材４０では、押さえ部材５０は、ボイド４６の外形に対応した円弧状の押さえ部５１の両側の脚５２を有し、脚５２の先端部に鈎状の係止部５３を設けており、係止部５３がトラス４２の下端筋４４ａ，４４ｂに係止させることで、トラス４２の高さ方向中間部に補助部材であるボイド４６が配置されるようになっており、スペーサ筋４９へボイド４６を針金で縛り付ける手間を省くことができる利点を有し、第１の床構造部材と同様の効果を奏するものである（例えば、特許文献２参照。）。
【０００７】
【特許文献１】
特開平１１−１４１０３６号公報（第１図）。
【０００８】
【特許文献２】
特開２００１−３０３７０７号公報（第１図）。
【０００９】
【発明が解決しようとする課題】
しかしながら、第１の従来の床構造部材では、横方向に複数のパイプ３２を貫通して設けた支持ロッド３４を単一トラス３１の構成要素であるトラス鉄筋３５に溶接することにより、補助部材であるパイプ３２を単一トラス３１の構成要素である上下の主筋３６の中間に宙づり状態で配置されるようにしているため、予めパイプ３２には支持ロッド３４を通すための孔３７を正確な位置（横断面を２等分する中心線上）に明けておかなければ、すべてのパイプ３２が同じ高さに配置することができない。したがって、パイプ３２には事前に正確な孔明け加工が必要となり、また、単一トラス３１への取付に当たってはトラス鉄筋３５への支持ロッド３４の溶接作業を必要とし、組立作業に手間がかかることになる。
【００１０】
他方、第２の従来の床構造部材４０では、スペーサ筋４９の凹部４９に補助部材であるボイド４６を挿入した後、ボイド４６の上側を押さえ部材５０でしっかりと押さえてボイド４６が動かないようにするには、ボイド４６の外形に対応した円弧状の押さえ部５１と両側の脚５２の先端部にある鈎状の係止部５３までの寸法が、使用するボイド４６の外形形状とぴったりと合致したものとしなけらばならない。したがって、補助部材であるボイド４６の形状や大きさが変われば、別の形状と大きさの押さえ部材５０を使用しなければならず、汎用性に乏しいものであり、押さえ部材５０自体のコストを低減することが難しかった。
【００１１】
さらに、ボイド４６の上側から押さえ部材５０の円弧状の押さえ部５１を宛って、押さえ部材５０の鈎状の係止部５３をトラス４２の下端筋４４ａ，４４ｂの下側に係止させるには、押さえ部材５０が鉄筋のような変形し難いものの場合には、押さえ部材５０の形状変化が望めないためボイド４６をその横断面積が小さくなる方向に弾性変形させなければならない。そのため、一部ではボイド４６として鋼製のパイプを使用することなく、その材料がボール紙や合成樹脂のような非強度素材よりなる薄い肉厚のものを使用することがあった。この場合には、工場や現場での溶接作業による他の部材との固着ができないことや、溶接作業時の火花がボイド４６に当たった場合にボイド４６が損傷したり焼失したりするおそれがあった。
【００１２】
そこで、この発明は、従来技術の以上のような問題点を解消すべく、補助部材への事前加工作業を不要とし、床構造部材への組立作業を容易にするとともに、床構造部材の組立作業時の溶接作業による補助部材の損傷又は焼失のおそれのない補助部材の固定具と、この固定具を使用した床構造部材を提供することを課題としている。
【００１３】
【課題を解決するための手段】
かかる課題を達成するために、請求項１に記載の発明は、ベース部材の上に複数並設するトラス構造部材と、該トラス構造部材の間に該トラス構造部材と平行に配設される補助部材とを備えた床構造部材の組立に使用する補助部材の固定具であって、前記ベース部材又は前記トラス構造部材に係止できる一対の係止部材と、該一対の係止部材をつなぐ接続部材とを備え、該接続部材はその長さを調整できるものであることを特徴としている。
【００１４】
請求項２に記載の発明は、ベース部材の上に複数並設するトラス構造部材と、該トラス構造部材の間に該トラス構造部材と平行に配設される補助部材とを備えた床構造部材の組立に使用する補助部材の固定具であって、前記ベース部材又は前記トラス構造部材に係止できる一対の係止部材と、該一対の係止部材をつなぐ接続部材とを備え、少なくとも前記係止部材の一方がその長さを調整できるものであることを特徴としている。
【００１５】
請求項３に記載の発明は、請求項１又は２の構成に加えて、前記接続部材は、前記補助部材の外形形状に対応した形状変化のできる柔軟性を有していることを特徴としている。
【００１６】
請求項４に記載の発明は、請求項１の構成に加えて、前記接続部材は戻り止め手段を有する結束バンドであることを特徴としている。
【００１７】
請求項５に記載の発明は、請求項２の構成に加えて、前記係止部材の一部にターンバックルを有することを特徴としている。
【００１８】
請求項６に記載の発明は、ベース部材の上に複数並設するトラス構造部材と、該トラス構造部材の間に該トラス構造部材と平行に配設される補助部材とを有する床構造部材であって、前記補助部材の下部は前記ベース部材によって支持され、前記補助部材の上部は請求項１乃至５のいずれかに記載の補助部材の固定具によって支持され、前記補助部材の固定具の前記係止部材又は接続部材の長さを短くすることで前記補助部材を前記ベース部材に対して固定されていることを特徴としている。
【００１９】
請求項７に記載の発明は、ベース部材の上に複数並設するトラス構造部材と、該トラス構造部材の間に該トラス構造部材と平行に配設される補助部材とを有する床構造部材であって、前記補助部材の下部は前記隣り合うトラス構造部材を連結する連結部材によって支持され、前記補助部材の上部は請求項１乃至５のいずれかに記載の補助部材の固定具によって支持され、前記補助部材の固定具の前記係止部材又は接続部材の長さを短くすることで前記補助部材を前記ベース部材に対して固定されていることを特徴としている。
【００２０】
請求項８に記載の発明は、請求項６又は７の構成に加えて、前記補助部材が荷重軽減材であることを特徴としている。
【００２１】
請求項９に記載の発明は、請求項６又は７の構成に加えて、前記補助部材がトラス部材であることを特徴としている。
【００２２】
【発明の実施の形態】
以下、この発明の実施の形態について図面を参照しながら説明する。
【００２３】
［発明の実施の形態１］
まず、この発明の実施の形態１に係る床構造部材の構成について説明する。
【００２４】
図１は、この発明の実施の形態１に係る床構造部材の正面図である。図２は、この発明の実施の形態１に係る床構造部材の側面図である。
【００２５】
この発明の実施の形態１に係る床構造部材１は、矩形の鋼板であるベース部材２の上に複数のトラス構造部材３が等間隔に並設され、ベース部材２とトラス構造部材３とは溶接により固定されている。ベース部材２は単なる平板状のものであってもよいし、長手方向に沿った多数の凹部形状を付加して補強したいわゆるデッキプレートであってもよい。
【００２６】
トラス構造部材３は、正面から見て、１本の上弦筋４と２本の下弦筋５，５とが二等辺三角形の各頂点となる位置関係に配置し、上弦筋４と左右１本の下弦筋５とをつなぐ屈曲筋６を一対向かい合わせて配置している。正面から見て、屈曲筋６の下端部７は水平に屈曲してベース部材２に溶接されている。
【００２７】
隣り合うトラス構造部材３同士は、互いの間隔を決める連結部材であるスペーサ筋８にて結合されており、トラス構造部材３の長手方向に適宜間隔をおいて複数配設される。隣り合うトラス構造部材３の間には、トラス構造部材３と平行に補助部材が配設されている。
【００２８】
この発明の実施の形態１では、補助部材が、コンクリートスラブの厚さ方向中間部に、コンクリートを充填させないことを目的として使用される荷重軽減材のボイド部材９である場合を表している。ボイド部材９は、打設するコンクリートの圧力によって容易に変形することのない強度を有するものであれば、鋼管の他、合成樹脂製管やボール紙管であってもよい。また、ボイド部材９の形状は、円筒に限らず、三角筒、四角筒、六角筒等の円形断面以外の断面を有するものであってもよい。さらに、必ずしも中空体でなければならないということはなく、軽量なものであれば木材や発泡合成樹脂等の中実体であってもよい。
【００２９】
スペーサ筋８は、トラス構造部材３の上弦筋４に係止する凸部１０と、円筒状のボイド部材９の外形に対応した円弧状の凹部１１とを、交互に連続させた形状をしている。複数並設されるトラス構造部材３のすべてを１本のスペーサ筋８で連結する場合には、スペーサ筋８に並設されるトラス構造部材３の数だけ円弧状の凹部１１が設けられているものを使用することとなる。また、スペーサ筋８は１つの円弧状の凹部１１と２つの凸部１０とからなる形状をしたものが最小限の構成であって、この最小限の構成からなるスペーサ筋８を隣り合うトラス構造部材３に１つずつ配置するようにしてもよい。この場合には、平面から見て隣り合うスペーサ筋８の凸部１０が重ならないように、例えば千鳥状に配置すればよい。
【００３０】
ボイド部材９の下部は隣り合うトラス構造部材３を連結するスペーサ筋８の円弧状の凹部１１によって支持されており、ボイド部材９の上部は固定具１２によって支持されている。
【００３１】
固定具１２は、トラス構造部材３の下弦筋５に係止できる係止片１３を有する一対の係止部材１４，１４と、この一対の係止部材１４，１４をつなぐ接続部材１５とを備えている。係止部材１４は、直径５ｍｍ程度の鋼線を曲げ加工して、一端に略Ｖ字形の係止片１３を設け、他端に接続部材１５へ取り付けるための取付部１６が設けられている。接続部材１５は、一対の係止部材１４，１４の間隔を調整できるようになっており、締め込む方向に調整したら後戻りを阻止する戻り止め手段を有する固定部１７を備えている。接続部材１５としては、合成樹脂製の結束バンドが重量、強度、価格の面で望ましい。接続部材１５は、合成樹脂製の結束バンドの他、金属、革、布、植物繊維、硬質ゴム等の材料による帯、紐、鎖、縄等の形態が考えられる。いずれにしても、接続部材１５は、コンクリートを打設したときに、コンクリートの圧力によってスペーサ筋８の円弧状の凹部１１からボイド部材９が浮き上がろうとする力に耐えてボイド部材９の位置が変わらないように固定できる、十分な引っ張り強度を有する伸びの少ないものでなければならない。さらに、ボイド部材９の形状は円筒の他に、三角筒、四角筒、六角筒等の円形断面以外の断面を有する中空長尺体も考えられるため、これら種々の外形形状に密着できるような柔軟性を有するものがよい。
【００３２】
固定部１７は、合成樹脂製の結束バンドであればバンド部１８と一体成形されているが、他の材料の場合には本体部分とは別部材の留め金を使用するのが一般的である。
【００３３】
次に、この発明の実施の形態１に係る床構造部材に補助部材を取り付ける方法について説明する。なお、以下の説明においては、接続部材を結束バンドとして表現する。
【００３４】
図３は、この発明の実施の形態１に係る床構造部材の補助部材に固定具を取り付けた直後の状態を示す要部拡大正面図である。図４は、この発明の実施の形態１に係る床構造部材の補助部材に固定具を取り付けて接続部材を締め込んだ状態を示す要部拡大正面図である。
【００３５】
補助部材であるボイド部材９を取り付ける前の床構造部材１は、ベース部材２の上に複数のトラス構造部材３が等間隔に並設され、隣り合うトラス構造部材３同士は、互いの間隔を決める連結部材であるスペーサ筋８にて結合されており、すべての隣り合うトラス構造部材３の中間部に円弧状の凹部１１が存在している。
【００３６】
そこで、ボイド部材９をトラス構造部材３と平行になるようにして、床構造部材１の上方からスペーサ筋８の円弧状の凹部１１に挿入し、トラス構造部材３との長手方向の位置関係を調整する。
【００３７】
他方、固定具１２は、予め一対の係止部材１４，１４を、その各々の取付部１６に接続部材である結束バンド１５の先端部を固定部１７に通すことで、２本の係止部材１４，１４と結束バンド１５とを一体に組み立てておく。この場合、補助部材であるボイド部材９に宛う前の状態では、結束バンド１５は、取付作業を考慮して２本の係止部材１４，１４が最も遠ざかることのできる大きさに調整しておくことが望ましい。
【００３８】
ボイド部材９をスペーサ筋８の円弧状の凹部１１上に位置決めしたら、ボイド部材９の上部に固定具１２の結束バンド１５の部分を宛って、２本の係止部材１４，１４の先端部にあるそれぞれの係止片１３，１３を正面から見て左右の下弦筋５，５の下側から上方に向けて係止させる。係止片１３の向きは、正面から見て外向き又は内向きのどちらでもよい。この段階では、図３に示したように、固定具１２がその結束バンド１５でボイド部材９を抱えるようにして、２本の係止部材１４，１４の係止片１３が下弦筋５，５に軽く係止した状態にある。
【００３９】
次に、結束バンド１５の先端部を上方へ引っ張り上げると、結束バンド１５のバンド部１８が徐々に固定部１７を通り抜けていき、これに従って結束バンド１５の長さが縮まっていく。すると、結束バンド１５が縮まった分だけ固定具１２の２本の係止部材１４，１４が近づく方向に引き寄せられる。これにより、その反作用として、２本の係止部材１４，１４と接続されている結束バンド１５が左右の下弦筋５，５の方へ引き寄せられ、結果として、結束バンド１５の下方にあるボイド部材９がスペーサ筋８の円弧状の凹部１１の中に押し付けられてしっかりと固定される。
【００４０】
この発明の実施の形態１に係る床構造部材１は、以上のような構成と作用を有するため、長さを調整できる接続部材である結束バンド１５を有する補助部材の固定具１２を使用することで、補助部材としてボイド部材９をトラス構造部材３の間に容易に配設することができるから、その後コンクリートを打設することで、コンクリートスラブの製造コストを低減するため、コンクリートスラブの厚さ方向中間部に、コンクリートを充填させないことを目的としたボイドスラブを構築することができる。
【００４１】
図５及び図６は、補助部材であるボイド部材の形状が四角筒の場合を示しており、図５は図３に、図６は図４に対応するものである。
【００４２】
この発明の実施の形態１に係る床構造部材１の固定具１２は、中間部が柔軟性を有する接続部材１５であるため、補助部材であるボイド部材９の外形形状の変化に応じてその形状が変わるものであるから、例えば、断面形状が四角形の場合でも使用される補助部材の外形形状に沿って変形することで、補助部材の外形に密着する十分な面積を確保することができるから、同じ固定具１２が様々な外形形状をした補助部材であるボイド部材９の固定手段として使用できる。また、断面形状が同じで大きさの異なるボイド部材９にも同じ固定具１２が使用できる。
【００４３】
なお、図１では、係止腕１４の係止片１３を隣り合うトラス構造部材３のそれぞれの外側に当たる下弦筋５に係止しているが、これに限らず、隣り合うトラス構造部材３のそれぞれの内側に当たる下弦筋５に係止してよい。また、一方の係止部材１４の係止片１３を隣り合う一方のトラス構造部材３の内側の下弦筋５に係止し、他方の係止部材１４の係止片１３を隣り合う他方のトラス構造部材３の外側の下弦筋５に係止してもよいし、その逆でもよい。
【００４４】
また、図示した床構造部材１では、隣り合うトラス構造部材３同士をボイド部材９の外形に対応した円弧状の凹部１１を形成したスペーサ筋８で結合しているが、必ずしもこのようなスペーサ筋８を設ける必要はなく、ボイド部材９を直接ベース部材２に載置するようにしてもよい。
【００４５】
さらに、トラス構造部材３の形状は図１又は図２に示したものに限らず、必要に応じて各種形状のものを採用すればよく、例えば、図７に示したように図１又は図２に示したトラス構造部材３と同様の構成要素からなりその高さを低くしたものを採用してもよい。
【００４６】
また、図８に示したように、平行に配置された１本の上弦筋４と１本の下弦筋５とを屈曲筋６の頂点部分で接合された平面トラス部材２６を平行に配置し、隣り合う平面トラス部材２６の上弦筋４を正面から見て二等辺三角形部２７が繰り返される横筋２８で一体化した高さの低いトラス構造部材３としてもよい。この場合、平面トラス部材２６は正面から見て横筋２８の二等辺三角形部２７の中心に垂直な姿勢を保つようにして、上弦筋４が二等辺三角形部２７の頂点の内側に固定される。
【００４７】
図７又は図８に示したように、トラス構造部材３の高さが低い場合には、トラス構造部材３の高さが高い場合に比べて、同じ大きさのボイド部材９を使用したとすると、隣り合うトラス構造部材３の隙間２９や横筋２８の隣り合う二等辺三角形部２７の隙間２９にボイド部材９の一部が入り込んで、ボイド部材９の外形が屈曲筋６又は横筋２８の二等辺三角形部２７に引っかかってトラス構造部材３の上部位置に留まることになるから、ボイド部材９の高さ位置を決めるスペーサ筋８が不要となり、コスト低減が実現できる。
【００４８】
［発明の実施の形態２］
次に、この発明の実施の形態２に係る床構造部材の構成について説明する。
【００４９】
図９は、この発明の実施の形態２に係る床構造部材の正面図である。
【００５０】
この発明の実施の形態２は、補助部材としてトラス部材１９を使用した場合を表わしている。
【００５１】
この発明の実施の形態２に係る床構造部材１は、矩形の鋼板であるベース部材２の上に複数のトラス構造部材３が等間隔に並設されてベース部材２とトラス構造部材３とは溶接により固定されている点、及びトラス構造部材３の構成は実施の形態１と同じである。
【００５２】
下弦筋５の上にはトラス構造部材３と直角方向に配設された真っ直ぐなスペーサ筋２０が複数平行に固着されており、このスペーサ筋２０の上には補助部材としてのトラス部材１９がトラス構造部材３と平行に配設されている。
【００５３】
トラス部材１９は、正面から見て、２本の上弦筋２１，２１と１本の下弦筋２２とが逆二等辺三角形の各頂点となる位置関係に配置し、左右１本の上弦筋２１と１本の下弦筋２２とをつなぐ屈曲筋２３を一対向かい合わせて配置している。
【００５４】
トラス部材１９の下部は隣り合うトラス構造部材３を連結するスペーサ筋８によって支持されており、トラス部材１９の上部は固定具１２によって支持されている。
【００５５】
固定具１５は、トラス構造部材３の下弦筋５に係止できる係止片１３を有する一対の係止部材１４，１４と、この一対の係止部材１４，１４をつなぐ接続部材１５とを備えている。係止部材１４は、その一部にターンバックル２４を有しており、その長さを調整できるようになっている。ターンバックル２４の一方のねじ棒の先端部には略Ｖ字形の係止片１３を設け、他方のねじ棒の先端部には接続部材１５へ取り付けるための取付部１６が設けられている。なお、ターンバックル２４は、少なくとも一方の係止部材１４に設ければ十分である。
【００５６】
接続部材１５は、実施の形態１と同様にトラス部材１９の外形形状に密着できるような柔軟性を有するものがよいが、実施の形態１と異なりその長さは一定のものでよい。
【００５７】
次に、この発明の実施の形態２に係る床構造部材に補助部材を取り付ける方法について説明する。
【００５８】
補助部材であるトラス部材１９を取り付ける前の床構造部材１は、図７に示したように、ベース部材２の上に複数のトラス構造部材３が等間隔に並設され、隣り合うトラス構造部材３同士は、互いの間隔を決める連結部材である真っ直ぐなスペーサ筋２０にて結合されている。
【００５９】
そこで、トラス部材１９をトラス構造部材３と平行になるようにして、床構造部材１の上方から隣り合うトラス構造部材３の中間部に当たるスペーサ筋２０の上に載置し、トラス構造部材３との長手方向の位置関係を調整する。ここで、トラス部材１９とスペーサ筋２０とは、必要に応じて、両者の接触部分を溶接して固定される。
【００６０】
トラス部材１９のスペーサ筋２０上での位置決めが終了したら、トラス部材１９の上部に固定具１２の接続部材１５を宛って、２本の係止部材１４，１４のそれぞれの係止片１３，１３を正面から見てトラス構造部材３の左右の下弦筋５，５の下側から上方に向けて係止させる。この段階では、固定具１２がその接続部材１５にトラス部材１９を抱えるようにして、２本の係止部材１４，１４がトラス構造部材３の下弦筋５，５に軽く係止した状態にある。
【００６１】
次に、ターバックル２４を有する係止部材１４のターバックル２４の胴部金具２５を回してターバックル２４を有する係止部材１４の長さを徐々に短くしていく。これにより、係止部材１４の長さが縮まった分に応じて固定具１２の接続部材１５がトラス構造部材３の左右の下弦筋５，５の方へ引き寄せられ、結果として、接続部材１５の下方にあるトラス部材１９がベース部材２の方へ押し付けられてしっかりと固定される。
【００６２】
この発明の実施の形態２に係る床構造部材１は、以上のような構成と作用を有するため、長さを調整できる係止部材１４を有する固定具１２を使用して、補助部材としてトラス部材１９をトラス構造部材３の間に容易に配設することができるから、その後コンクリートを打設することで、強度を一層向上させたコンクリートスラブを構築することができる。
【００６３】
以上説明したこの発明の実施の形態１又は２では、固定具１２の係止部材１４の係止片１３をトラス構造部材３の下弦筋５に係止させるようにしたが、この発明はこれに限らず、ベース部材２に被係止部材（図示せず）を設けておき、この被係止部材に固定具１２の係止部材１４の係止片１３を係止するようにしてもよい。
【００６４】
また、実施の形態１では長さ調整のできる接続部材１５を有する固定具１２と荷重軽減材であるボイド部材９との組み合わせについて説明し、実施の形態２では長さ調整のできる係止部材１４を有する固定具１２と補強材であるトラス部材１９との組み合わせについて説明したが、この発明はこれらの組み合わせに限らず、その逆の組み合わせを採用してもよい。
【００６５】
さらに、この発明の実施の形態１又は２で説明した補助部材の固定具１２を使用した床構造部材１の組立作業は、特別な工具を必要としないので、床構造部材１を生産する工場は勿論、床構造部材１を使用してコンクリートスラブを構築する建築現場でも実施できるため、広く利用できるものである。
【００６６】
【発明の効果】
以上説明してきたように、請求項１に記載の発明によれば、ベース部材又はトラス構造部材に係止できる一対の係止部材と、該一対の係止部材をつなぐ接続部材とを備え、該接続部材はその長さを調整できるものとしたので、補助部材を床構造部材に取り付ける際に、接続部材を補助部材の上方から宛い、一対の係止部材をベース部材又はトラス構造に係止した後、接続部材を短くする操作するだけの簡単な作業で補助部材を床構造部材に強固に固定することができる。また、補助部材への事前加工作業を不要とする他、取付作業に溶接作業がないため、溶接作業による補助部材の損傷や焼失のおそれがない。
【００６７】
請求項２に記載された発明によれば、ベース部材又はトラス構造部材に係止できる一対の係止部材と、該一対の係止部材をつなぐ接続部材とを備え、少なくとも係止部材の一方がその長さを調整できるものとしたので、補助部材を床構造部材に取り付ける際に、接続部材を補助部材の上方から宛い、一対の係止部材をベース部材又はトラス構造に係止した後、係止部材を短くする操作するだけの簡単な作業で補助部材を床構造部材に強固に固定することができる。また、補助部材への事前加工作業を不要とする他、取付作業に溶接作業がないため、溶接作業による補助部材の損傷や焼失のおそれがない。
【００６８】
請求項３に記載された発明によれば、接続部材は補助部材の外形形状に対応した形状変化のできる柔軟性を有しているので、形状や大きさの異なる補助部材を固定することができため、請求項１又は２の効果に加え、汎用性のある補助部材の固定具を提供することができる。
【００６９】
請求項４に記載された発明によれば、接続部材は戻り止め手段を有する結束バンドであるので、バンド部を上方へ引き上げる操作をするだけで接続部材の長さを短くし固定具を締め込めむことができるから、請求項１の効果に加え、補助部材の取付作業が一層容易になる。
【００７０】
請求項５に記載された発明によれば、係止部材の一部にターンバックルを有しているので、ターンバックルの胴部金具を回転させる操作をするだけで係止部材の長さを短くし固定具を締め込めむことができるから、請求項２の効果に加え、補助部材の取付作業が一層容易になる。
【００７１】
請求項６に記載された発明によれば、補助部材の下部はベース部材によって支持され、補助部材の上部は請求項１乃至５のいずれかに記載の補助部材の固定具によって支持され、補助部材の固定具の係止部材又は接続部材を短くすることで補助部材をベース部材に対して固定するようにしたので、補助部材への事前加工作業を不要とし、床構造部材への組立作業を容易にするとともに、床構造部材の組立作業時の溶接作業による補助部材の損傷又は焼失のおそれのない床構造部材を提供することができる。
【００７２】
請求項７に記載された発明によれば、補助部材の下部は隣り合うトラス構造部材を連結する連結部材によって支持し、補助部材の上部は請求項１乃至５のいずれかに記載の補助部材の固定具によって支持し、補助部材の固定具の係止部材又は接続部材の長さを短くすることで補助部材を連結部材に対して固定するようにしたので、補助部材への事前加工作業を不要とし、床構造部材への組立作業を容易にするとともに、床構造部材の組立作業時の溶接作業による補助部材の損傷又は焼失のおそれのない床構造部材を提供することができる。
【００７３】
請求項８に記載された発明によれば、補助部材が荷重軽減材であるので、請求項６又は７の効果に加え、コンクリートスラブの製造コストを低減するため、コンクリートスラブの厚さ方向中間部に、コンクリートを充填させないことを目的としたボイドスラブを構築することができる。
【００７４】
請求項９に記載された発明によれば、補助部材がトラス部材であるので、請求項６又は７の効果に加え、強度を一層向上させたコンクリートスラブを構築することができる。
【図面の簡単な説明】
【図１】この発明の実施の形態１に係る床構造部材の正面図である。
【図２】同実施の形態１に係る床構造部材の側面図である。
【図３】同実施の形態１に係る床構造部材の補助部材に固定具を取り付けた直後の状態を示す要部拡大正面図である。
【図４】同実施の形態１に係る床構造部材の補助部材に固定具を取り付けて接続部材を締め付けた状態を示す要部拡大正面図である。
【図５】四角筒状の補助部材に固定具を取り付けた図３に対応する要部拡大正面図である。
【図６】四角筒状の補助部材に固定具を取り付けた図４に対応する要部拡大正面図である。
【図７】この発明の実施の形態１に係る高さの低いトラス構造部材を採用した床構造部材の正面図である。
【図８】同実施の形態１に係る高さの低い別態様のトラス構造部材を採用した床構造部材の正面図である。
【図９】同実施の形態２に係る床構造部材の正面図である。
【図１０】第１の従来の床構造部材を示した正面図である。
【図１１】第２の従来の床構造部材を示した正面図である。
【符号の説明】
１  床構造部材
２  ベース部材
３  トラス構造部材
４  上弦筋
５  下弦筋
６  屈曲筋
７  下端部
８  スペーサ筋（連結部材）
９  ボイド部材（補助部材）
１０  凸部
１１  凹部
１２  固定具
１３  係止片
１４  係止部材
１５  結束バンド（接続部材）
１６  取付部
１７  固定部
１８  バンド部
１９  トラス部材（補助部材）
２４  ターンバックル
２５  胴部金具
２６  平面トラス部材
２７  二等辺三角形部
２８  横筋
２９  隙間
【図１】
2004162379.tif 000003
【図２】
2004162379.tif 000004
【図３】
2004162379.tif 000005
【図４】
2004162379.tif 000006
【図５】
2004162379.tif 000007
【図６】
2004162379.tif 000008
【図７】
2004162379.tif 000009
【図８】
2004162379.tif 000010
【図９】
2004162379.tif 000011
【図１０】
2004162379.tif 000012
【図１１】
2004162379.tif 000013